(57)【特許請求の範囲】
【請求項１】
管軸を有するカラー表示管であって、多数の口出しピンをもったベースを有するネックと、このネック内に配設されたインライン形電子銃とを具え、前記電子銃は、インライン面の両側に該インライン面に略々平行に延在する絶縁材料の二つのロッド形状の支持素子によって互いに連結される電極を具え、前記電極及びロッド形状の支持素子が、前記電極の各々の突出部分によって相互接続され、前記インライン面を横切るとともに前記管軸を通る面が、前記ロッド形状の支持素子と前記電極の各々の突出部分との間の連結部を交差し、支持素子と口出しピンとの間に連結部をそれぞれ形成する導電材料の多数の支持体を具え、前記支持体の各々が口出しピンに固定され、これによって、前記支持体と各口出しピンとの間に電気的な接続が形成されたカラー表示管において、一対の支持体が各支持素子に連結され、各対のそれぞれの支持体は、異なる口出しピンに固定され、前記口出しピンのうちの少なくとも一つを、高電圧用の口出しピンとし、同じ支持体に連結された二つの支持体間の最小距離は、少なくとも３ｍｍであり、各支持素子は、同じ支持素子に連結された支持体の間のくぼみ部分を有することを特徴とするカラー表示管。
【請求項２】
前記支持素子の表面に沿って測った支持体と電極間の最小距離が３ｍｍより大きいことを特徴とする請求項１記載のカラー表示管。
【請求項３】
前記支持体が固定された四つの口出しピンが、その中心が略々管軸と一致する四辺形を形成することを特徴とする請求項１又は２記載のカラー表示管。
【発明の詳細な説明】
【０００１】
本発明は、管軸を有するカラー表示管であって、多数の口出しピンをもったベースを有するネックと、このネック内に配設されたインライン形電子銃とを具え、前記電子銃は、インライン面の両側に該インライン面に略々平行に延在する絶縁材料の二つのロッド形状の支持素子によって互いに連結される電極を具え、前記電極及びロッド形状の支持素子が、前記電極の各々の突出部分によって相互接続され、前記インライン面を横切るとともに前記管軸を通る面が、前記ロッド形状の支持素子と前記電極の各々の突出部分との間の連結部を交差し、支持素子と口出しピンとの間に連結部をそれぞれ形成する導電材料の多数の支持体を具え、前記支持体の各々が口出しピンに固定され、これによって、前記支持体と各口出しピンとの間に電気的な接続が形成されたカラー表示管に関する。
【０００２】
【従来の技術】
このようなカラー表示管は、通常のものであり、「インライン」形とも呼ばれている。動作時、このインライン形の電子銃は、１つの平面すなわち所謂インライン面内を延在する３つの電子ビームを発生する。細長い支持素子はガラスよりつくられるのが普通で、マルチフォームロッド(multiform rod) とも呼ばれる。カラー表示管の製造時、電気的な口出しピンは支持プレート内に形成され（支持プレートと電気的な口出しピンのアセンブリは「ベースプレート」とも呼ばれる)
、電子銃がつくられ、電子銃とベースプレートが互いに連結されるように支持体が口出しピンに固定され、電子銃がネック内に滑り込ませられる。次いでベースプレートがネックに固定される（ネックに固定されたベースプレートは以後ベースとも呼ぶ) 。
【０００３】
カラー表示管のネック内の電子銃の位置の精度には益々大きな要求が課せられている。平均位置に対する電子銃の変位または回動は有害である。電子銃をネック内に滑らせている間電子銃したがってインライン面の変位および／または回動が生じることのあることがわかった。この変位および／または回動は、電子銃の位置の変化すなわち平均位置に対する電子銃の位置のずれを生じる。
【０００４】
【発明が解決しようとする課題】
本発明の目的は、電子銃の位置の変動が少ない冒頭記載の種類のカラー表示管を得ることにある。
【０００５】
【課題を解決するための手段】
上記目的を達成するために、本発明は、一対の支持体が各支持体に連結され、各対のそれぞれの支持体は、異なる口出しピンに固定され、前記口出しピンのうちの少なくとも一つを、高電圧用の口出しピンとし、同じ支持体に連結された二つの支持体間の最小距離は、少なくとも３ｍｍであることを特徴とする。
【０００６】
電子銃は、通常３つの支持体を有している。これ等の支持体のうちの２つは、２つの支持素子の一方に連結される。他の支持体は、他方の支持素子に連結される。このような電子銃をネックに挿入する間に電子銃の回動が比較的しばしば生じる。本発明は、とりわけ次のような洞察に基いたものである、すなわち、４つの支持体を有する電子銃はより大きな剛性を有し、また電子銃の挿入の間に回動する傾向が少ないという洞察に基いたものである。その結果電子銃の位置の変動が少なくなる。
【０００７】
本発明はまた以下のような別の洞察に基いたものである。
公知の電子銃では、１つの支持素子に連結された２つの支持体の間の距離は略々１ｍｍである。動作時および特にスパーキングの間、高電圧（略々６０ＫＶ迄）が前記の口出し線の或るものに加えられる（以後「高電圧口出しピン」とも呼ぶ）。本発明の観点内において次のことが見出された、すなわち、若し２つの支持体間の最小距離が略々３ｍｍよりも小さくそして支持体の１つが高電圧口出しピンに接続されれば、前記の支持体間のフラッシュオーバーは先ず起きるであろう。フラッシュオーバーは電子銃を損傷することがある。本発明によれば、４つの支持体の夫々は、関係の支持体に対して最も適した口出しピンに固定することができる。
【０００８】
一例では、各支持素子は、同じ支持素子に連結された支持体の間のくぼみ部分を有する。これによって、支持体間のフラッシュオーバーのおそれが更に低減する。支持体と電極間の最小距離は３ｍｍより大きいのが好ましい。
【０００９】
電子銃の支持体と電極間のフラッシュオーバーは、スパーキングの間に起きるであろう。最小距離が３ｍｍよりも大きいと、フラッシュオーバーの起きる危険は極めて小さい。
【００１０】
【実施例】
以下本発明を図の実施例によって詳しく説明するが、図は寸法比通りのものではなく、また対応した部分には同じ符号を付してある。
【００１１】
図１は本発明によるカラー表示管の一実施例の断面図である。このカラー表示管は、表示窓２、コーン３およびネック４より成るガラス容器１を有する。ネック４内には、１つの平面、所謂インライン面内を延在する３つの電子ビーム６，７および８を発生する電子銃５が配設されている。偏向されない状態では、電子ビーム７の軸がカラー表示管の軸９と一致する。表示スクリーン１０の内側には、けい光体素子の多数の３つ組が設けられている。このけい光体素子は例えばストライプまたはドットの形とすることができる。この実施例では、表示窓にはストライプ状の素子が設けられている。各３つ組は、緑に発光するけい光体を有するストライプ、赤に発光するけい光体を有するストライプ、青に発光するけい光体を有するストライプより成る。この実施例では、けい光体のストライプは図の紙面に垂直に延在している。多数のアパーチャ１２を有するシャドーマスク１１が表示スクリーン１０の前面に位置される。電子ビーム６，７および８はコイルシステム１３で偏向される。ネック４には口出しピン１５を有するベース１４が設けられる。
【００１２】
図２は、ネック４内の電子銃５のインライン面における一部断面および一部平面図である。図３は、ネック４内の電子銃５のインライン面に直角で且つ軸を通る平面における一部断面および一部平面図である。ネック４は、口出しピン１５ａから１５ｊをもったベース１４を有する。電子銃５は、多数の電極１７と、絶縁材料よりつくられた２つの支持素子１６とを有する。この支持素子はインライン面の両側を延在する。電極１７は，電子ビームを通過させるアパーチャを有する。これ等の電極１７は、支持素子１６にさし込まれた突出部分１８を有する。前記の電極は、支持素子によって相互に連結される。４つの支持体１９ａから１９ｄが支持素子１６に固定される。これ等の支持体は、支持素子にさし込まれた突出部分２０を有する。前記の４つの支持体１９ａから１９ｄは４つの口出しピン（夫々１５ｉ，１５ａ，１５ｃおよび１５ｈ）に固定される。前記の４つの口出しピンは略々四辺形を形成する。通常の構造では、電子銃は３つの支持体で口出しピンに固定された。カラー表示管の製造時、電子銃は支持体を介して口出しピンしたがってベースに固定れる。電子銃は次いでネック内に滑り込ませられ、ベースがネックに固定される。電子銃を滑り込ませる間、電子銃は、該電子銃の回動を引き起こすことのある力を受ける。この回動はインライン面の位置を変わりやすくし、画像表示に悪影響を及ぼす。公知の構造は、ネック内に滑り込ませることによる回動の平均値は通常略々０．７５゜である。本発明によるカラー表示管では、電子銃を滑り込ませることに帰因する回動は無視し得る程度に小さい。したがって、電子銃の位置の変化は低減される。
【００１３】
カラー表示管の動作中または製造中、口出しピンの或るものは高い電圧を通すのに用いられる。図の実施例では、高電圧は、電子銃のスパーキングの間口出しピン１５ｉと１５ｊに加えられる。電子銃のスパーキングは或るタイプのカラー表示管の製造時における通常の工程で、この工程においては非常に高い（略々６０ＫＶ迄の）電圧が多数の電極に加えられる。これにより電極間にスパークを飛ばさせ、これによってばりやでこぼこを取除く。電子銃をスパークさせる方法は、とりわけ、欧州特許出願ＥＰ０１９５４８５に記載されている。図５は、ベースの口出しピン１５ａから１５ｊ迄の相対位置を示す。カラー表示管の動作および製造中、比較的低い（略々５ＫＶ迄）電圧が口出しピン１５ａから１５ｈに印加される。一般に、口出しピンの位置は国際標準に従わねばならないので勝手に選ぶことはできない。動作時、比較的高い電圧（４０〜６０ＫＶ）が口出しピン１５ｉと１５ｊに加えられ、特に電子銃のスパーキングの間そうである。図６は、支持素子に互いに隣接して配設された２つの支持体間の距離Δ（ｍｍ）の関数として、支持体間にスパーキングが起きる前記の支持体間の電圧差Ｖ（ＫＶ）を示す。十字符号は測定点を示し、破線は関係Δ−Ｖの近似値である。このグラフは、略々３ｍｍを越えるΔの値においては略々６０ＫＶ以下の値に対してスパーキングが起きないことを示す。したがって、支持体１９間の最小距離が略々３ｍｍより大きければ、支持体を、スパーキングの発生なしに最も適当な口出しピンにつなぐことができる。この実施例では、支持体１９ａは口出しピン１５ｉに接続されている。支持体が固定される口出しピン１５ａ，１５ｃ，１５ｈおよび１５ｉは、その中心が大よそ管軸と一致する四辺形を形成する。前記の支持体が口出しピン１５ｊまたは１５ｉに連結できずに代わりに口出しピン１５ａから１５ｈの１つに連結せねばならないものとすれば、構造はその剛性が小さくなるであろうし、平均して、電子銃のより大きな回動すなわち電子銃のより大きな位置の変化が挿入工程の間に起きるであろう。図２と３に示した実施例では、支持体１９ａと１９ｂ間および支持体１９ｃと１９ｄ間の最小距離Δ１  は４．５ｍｍである。
【００１４】
この実施例では、支持素子には、支持体１９ａと１９ｄの間および支持体１９ｃと１９ｄの間にくぼみ２１が設けられている。この支持体間のくぼみは、支持素子の表面に沿って測った支持体間の距離を増す。
【００１５】
この実施例では、支持体と電極の間の最小距離Δ２  は略々４．５ｍｍである。支持素子の表面に沿って測られた支持体と電極間の最小距離Δ２  は３ｍｍよりも大きいのが好ましい。この場合、スパーキングの間または動作の間に支持体と電極の間にフラッシュオーバーが起きる危険は極めて小さい。
【００１６】
以上本発明を図の実施例によって説明したが、本発明の要旨を逸脱しない範囲において数多くの変形が可能であることは当業者にとって明らかであろう。
【図面の簡単な説明】
【図１】  本発明のカラー表示管の一実施例の断面図。
【図２】  電子銃、ベースおよび口出しピンを含むネックのインライン面における一部断面および一部平面図。
【図３】  電子銃、ベースおよび口出しピンを含むネックのインライン面に直角な平面における一部断面および一部平面図。
【図４】  図３のＩＶ−ＩＶにおける一部断面および支持素子、支持体、口出しピンの一部平面図。
【図５】  ベースにおける口出しピンの相対位置を示す平面図。
【図６】  フラッシュオーバーの生じる支持体間距離と電圧との関係を示すグラフ。
【符号の説明】
４  ネック
５  電子銃
１４  ベース
１５  口出しピン
１６  支持素子
１８，２０  支持体の突起部分
１９  支持体
【図１】
0003735382.tif 000002
【図２】
0003735382.tif 000003
【図３】
0003735382.tif 000004
【図４】
0003735382.tif 000005
【図５】
0003735382.tif 000006
【図６】
0003735382.tif 000007